(57)【特許請求の範囲】
【請求項１】
開封用条体を貼着した外装フィルムを有してなるおにぎり包装用袋シートにより、前記開封用条体が三角おにぎりの中央を一巻きする状態に、三角おにぎりを包み込み、三角おにぎりの三角形の面に、おにぎり包装用袋シートの包み込み終端を重ね、前記包み込み終端及びその下側に重なる外装フィルムの、前記開封用条体との近傍箇所に対して、ヒートシーラと該ヒートシーラの近傍を押圧するフィルム押圧部材を押し付けることにより、前記包み込み終端とその下側に重なる外装フィルムを溶かして細長い孔を開けて引き裂き用ノッチを形成するとともに、引き裂き用ノッチの周縁において前記包み込み終端とその下側に重なる外装フィルムとを溶着シールし、該引き裂き用ノッチの付いた溶着シールを前記開封用条体に沿って一条または複数条に設け、該引き裂き用ノッチの付いた溶着シールを隠蔽するようにラベルを貼ることを特徴とするおにぎり包装におけるシール方法。
【請求項２】
開封用条体を貼着した外装フィルムを有してなるおにぎり包装用袋シートにより、前記開封用条体が三角おにぎりの中央を一巻きする状態に、三角おにぎりを包み込み、三角おにぎりの三角形の面に、おにぎり包装用袋シートの包み込み終端を重ね、前記包み込み終端とその下側に重なる外装フィルムとを溶着シールするおにぎり包装機において、
フィルム押圧部材で前記包み込み終端及びその下側に重なる外装フィルムを押圧し、ヒートシーラを前記包み込み終端とその下側に重なる外装フィルムに当接して当接箇所を溶かして細長い孔を開けてなる引き裂き用ノッチを前記開封用条体に沿って一条または複数条に形成するとともに、引き裂き用ノッチの縁の前記包み込み終端とその下側に重なる外装フィルムとを溶着シールするようになっていることを特徴とするおにぎり包装機。
【発明の詳細な説明】
【０００１】
【産業上の利用分野】
本願発明は、海苔を収容したおにぎり包装用袋シートにより三角おにぎりを包装した形態であり、開封前は海苔と三角おにぎりが直接接触しない状態であり、開封用条体を引いて包装を３６０度完全に引き裂くことができ、左右に二分割した包装を左右に引いて、海苔が三角おにぎりを包装した状態となる、おにぎり包装におけるシール方法及びおにぎり包装機に関する。
【０００２】
【従来の技術】
海苔を包装したおにぎり包装用袋シートであって、最も古い従来例は、例えば、実開平５−７２７６４号公報の図１５、図１６、及び図１７に図示されている。
図１５、図１６、及び図１７に図示されている，海苔を包装したおにぎり包装用袋シートは、
幅中央に開封用条体を貼着した外装フィルムに、海苔と二枚の内装フィルムを順に載せ、前記二枚の内装フィルムを外装フィルムの巾中央において端縁同士を重ね残りの端縁を前記外装フィルムの周辺部にヒートシールして前記海苔を収容してなる。
そして、おにぎりの包装形態は、図１７に示すように、
おにぎり包装用袋シートの中程を避けた上半分をシート下面部として、該シート下面部に三角おにぎりの三角形の下面を載置し、かつ前記おにぎり包装用袋シートの中程で三角おにぎりの底辺に沿って折り上げ、前記おにぎり包装用袋シートの中程を避けた下半分をシート上面部として、該シート上面部を三角おにぎりの三角形の上面に沿って折り曲げ、さらに該シート上面部を三角おにぎりの左右の傾斜辺に沿って折り下げてその余りを前記シート下面部に合わせ、前記シート下面部を三角おにぎりの左右の傾斜辺に沿って折り上げて、余った左右の角隅部を三角おにぎりの上面に沿って順に折り曲げて重ね、左右の角隅部が開かないように所要箇所をポイントシールし、ラベルを貼設してなる。
開封するには、三角おにぎりの頂点に位置する開封用条体の端部を折返し方向に引いて外装フィルムを左右に分断していき、引き裂きを、開封用条体の他方の端部に達するまで行う。開封用条体はラベルを分断し、三角おにぎりの上面に重なる左右の角隅部を開きつつ外装フィルムを左右に分断していくことを予定している。左右に分断した外装フィルムの各半部を左右に引っ張ることにより、左右の内装フィルムも一諸に取り去ることができる。三角おにぎりは海苔が巻かれた状態で露出する。
【０００３】
この海苔を包装したおにぎり包装用袋シート、及びおにぎりの包装形態の欠点は、実開平５−７２７６４号公報において、うまく開封することができないと指摘されている。すなわち、包装状態にあるときの包装体は、右上部と左上部とが互いに角部同士で深く重なっている重なり部が存在し、この重なり部が開くのを防止するために、表示用または装飾用を目的とした紙製のシールを貼着してある。このため、開封用条体を引っ張った際に、重なり部が開封用条体の進行を妨げることになるので、開封用条体が途中で切れたりして開封用条体をうまく取り去ることができなくなる恐れがあった。したがって、このような場合、外装フィルムが綺麗に二つに切断されなくなるので、却って開封に手間取るといった問題点があった、と指摘されている。
【０００４】
上記の問題点を解消するものであって、開封手段による切断を容易に、かつ、確実にし、簡単に二分割して開封することができる、従来の、おにぎり用包装体を開示する特許公報、実用新案公報は多数有る。
特公平７−３２６７９号公報、特開平５−１６２７６８号公報、特開平５−１６２７６９号公報、特開平７−１３５９１７号公報、特開平８−２４２７８９号公報、特開平８−２４２７９０号公報、実開平５−７２７６３号公報、実開平５−７２７６４号公報に開示されたおにぎり用包装体は、開封手段による切断を容易に、かつ、確実にし、簡単に二分割して開封することができるとしている。
【０００５】
しかしながら、問題点が全く無い訳ではない。
特公平７−３２６７９号公報、特開平５−１６２７６８号公報、特開平５−１６２７６９号公報、実開平５−７２７６３号公報、実開平５−７２７６４号公報に開示されたおにぎり用包装体は、右上部と左上部とが互いに角部同士で深く重なっている重なり部が存在し、この重なり部が開くのを防止するために、表示用または装飾用を目的とした紙製のシールを貼着してある点において、上記の実開平５−７２７６４号公報の図１５、図１６、及び図１７に図示されている、海苔を包装したおにぎり包装用袋シートと同様である。これらの発明または考案は、おにぎり用包装体の左上角部の側縁に設けたノッチまたは切り欠きと、右上角部の側縁に設けたノッチまたは切り欠きとが、三角おにぎりを包装した際に、開封用条体を挟んで一致することにより、開封用条体が、ラベルとともに左上角部と右上角部のノッチまたは切り欠きを引き裂くことができるとしている。
【０００６】
しかし、三角おにぎりの中心を外装フィルムの中心からずらして包装したときは、おにぎり用包装体の左上角部の側縁に設けたノッチまたは切り欠きと、右上角部の側縁に設けたノッチまたは切り欠きとが側縁同士の交差部で一致しなくなるとともに、開封用条体が、左上角部と右上角部のいずれかに設けたノッチまたは切り欠きにのみ一致し、他方のノッチまたは切り欠きに一致しない状態となり、ラベルが貼られることになる。殆どの包装において、左上角部と右上角部に設けたノッチ同士または切り欠き同士が開封用条体に対応して完全に一致することはない。このため、開封用条体が左上角部と右上角部のノッチまたは切り欠きを引き裂けなくなる。また、左上角部と右上角部に設けたノッチ同士または切り欠き同士が開封用条体に対応して完全に一致する場合であっても、おにぎりの上面にラップしている外装フィルムに対してその上に重なる左上角部と右上角部が直接接着している箇所がないので、開封用条体を引くことにより与える引き裂き力が、外装フィルムに直に伝わるが左上角部と右上角部には同一の大きさの力では伝わりにくく、このため、引き裂き力が、左上角部と右上角部に設けたノッチより引き裂いていく力として充分有効には作用せず、開封用条体で引き裂くのがかなり重くなり、開封用条体が切れたり、おにぎりを掴む力が大きくなっておにぎりが崩れることがある。また、Ｉカットのノッチでなく、Ｖカットや半丸カットの切り欠きは、フィルム細片を出すので、おにぎり用包装体の製作時にフィルム細片が付着しないように完全を期すことが難しく、フィルム細片をおにぎりとともに食してしまう惧れがあり、実用できない。
【０００７】
また、特開平７−１３５９１７号公報、特開平８−２４２７８９号公報、特開平８−２４２７９０号公報に開示されたおにぎり用包装体は、四隅が大きく切除されていて、三角おにぎりの上面に重なる左上角部と右上角部は、オーバラップする面積が小さい。
このうち、特開平７−１３５９１７号公報に開示されたおにぎり用包装体は、開封用条体でラベルを分断したあと、小さい面積で重なった左上角部と右上角部をめくりあげることにより開封用条体で外装フィルムを最後まで引き裂くことができるとしている。しかしながら、開封用条体で小さい面積で重なった左上角部と右上角部をめくりあげることができない場合があることを、特開平８−２４２７８９号公報、特開平８−２４２７９０号公報に自ら指摘している。
特開平８−２４２７８９号公報、特開平８−２４２７９０号公報に開示されたおにぎり用包装体は、四角の切り欠き部の側縁部にさらに複数のノッチを設けることにより、開封用条体でラベルを分断したあと、小さい面積で重なった左上角部と右上角部をめくりあげるのではなく、ノッチから引き裂いてしまおうとしている。
【０００８】
しかしながら、特開平７−１３５９１７号公報、特開平８−２４２７８９号公報、特開平８−２４２７９０号公報に開示されたおにぎり用包装体は、以下の欠点を有している。
▲１▼四角に切り欠き部を設ける結果、フィルム細片を出すので、おにぎり用包装体の製作時にフィルム細片が付着しないように完全を期すことが必要で、フィルム細片が付着ていないかどうかのチェックが必要になっている。
▲２▼特開平７−１３５９１７号公報のおにぎり用包装体は、自ら認めているように、開封用条体でラベルを分断したあと、小さい面積で重なった左上角部と右上角部をめくりあげることができず、むりやりめくりあげれば、開封用条体を切断してしまい、開封不完全となる。開封不完全となる割合はかなり高い。
▲３▼特開平７−１３５９１７号公報、特開平８−２４２７８９号公報、特開平８−２４２７９０号公報に開示されたいずれのおにぎり用包装体についても、ラベル上縁と左右の切り欠き部側縁とで外装フィルムが三角形に見える部分を作るように、該ラベルを貼着する必要があり、その結果、ラベルの下縁部が三角おにぎりの三角形の底辺に掛かってしまい、ラベルが貼りにくい。コンビニエンスストアでおにぎりを購入して調べたところ、ラベルが貼りにくいのでラベルを貼る位置を上にずらしたものが多く見受けられる。そして、三角おにぎりの中心を外装フィルムの中心からずらして包装したときは、おにぎり用包装体の左上角部の側縁に設けたノッチと、右上角部の側縁に設けたノッチとが側縁同士の交差部で一致しなくなるとともに、開封用条体が、左上角部と右上角部のいずれかに設けたノッチのみ一致し、他方のノッチまたは切り欠きに一致しない状態となり、ラベルが貼られることになる。殆どの包装において、左上角部と右上角部に設けたノッチ同士が開封用条体に対応して完全に一致することはない。このように、ラベルを貼る位置を上にずらし、かつ三角おにぎりの中心を外装フィルムの中心からずらして包装したときは、開封用条体で左上角部と右上角部のノッチより切り欠きを引き裂けなくなる。
▲４▼四隅が大きく切除されていて、三角おにぎりの上面に重なる左上角部と右上角部は、オーバラップする面積が小さいので、店頭で購入者が手にとって左上角部と右上角部をめくってさらにその内側の外装フィルムをめくることが可能である。この点、実開平５−７２７６４号公報の図１５、図１６、及び図１７に図示されている，海苔を包装したおにぎり包装用袋シートは、四角が切除されておらず、右上角部と左上角部とが互いに深く重なっていて、重なり部が開くのを防止しかつ表示または装飾を目的とした紙製のラベルを貼着してある構成なので、店頭で購入者が手にとって左上角部と右上角部をめくってさらにその内側の外装フィルムをめくることは不可能である。
【０００９】
実開平３−１０８３８９号公報に示すおにぎり包装体は、四隅が切除されておらず、三角おにぎりの上面に重なる左上角部と右上角部とが互いに深く重なっていて、オーバラップする面積が大きく、包装がしっかりしているが、ラベルを貼着してないので、購買者に包装が不完全であるとの感じを与える惧れがある。
このおにぎり包装体は、四隅が切除されていないので、おにぎり用包装体の製作時にフィルム細片が生じないが、製作時にノッチを付与する必要があり、ぴらぴらのフィルム端縁にカッターにより突っ切りを入れて沢山のノッチを付与することがうまくいかないためにおにぎり用包装体の製作上問題になっている。
【００１０】
実公平４−４８７１２号公報、及び実公平４−４８７１３号公報に示す包装おにぎりは、コーナーカットはあり、おにぎり用包装体の製作時にフィルム細片が生じる。またラベルを貼着してないので、購買者に包装が不完全であるとの感じを与える惧れがある。
【００１１】
【発明が解決しようとする課題】
本願発明は、上述した点に鑑み案出したもので、海苔を収容したおにぎり包装用袋シートにより三角おにぎりを包装した形態であり、開封前は海苔と三角おにぎりが直接接触しない状態であり、開封用条体を引いて包装を３６０度完全に引き裂くことができ、左右に二分割した包装を左右に引いて、海苔が三角おにぎりを包装した状態となる、おにぎり包装におけるシール方法及びおにぎり包装機を提供することを目的としている。
【００１２】
【課題を解決するための手段】
本願第一の発明は、開封用条体を貼着した外装フィルムを有してなるおにぎり包装用袋シートにより、前記開封用条体が三角おにぎりの中央を一巻きする状態に、三角おにぎりを包み込み、三角おにぎりの三角形の面に、おにぎり包装用袋シートの包み込み終端を重ね、前記包み込み終端及びその下側に重なる外装フィルムの、前記開封用条体との近傍箇所に対して、ヒートシーラと該ヒートシーラの近傍を押圧するフィルム押圧部材を押し付けることにより、前記包み込み終端とその下側に重なる外装フィルムを溶かして細長い孔を開けて引き裂き用ノッチを形成するとともに、引き裂き用ノッチの周縁において前記包み込み終端とその下側に重なる外装フィルムとを溶着シールし、該引き裂き用ノッチの付いた溶着シールを前記開封用条体に沿って一条または複数条に設け、該引き裂き用ノッチの付いた溶着シールを隠蔽するようにラベルを貼ることを特徴とするおにぎり包装におけるシール方法を提供することにある。
【００１３】
本願第二の発明は、開封用条体を貼着した外装フィルムを有してなるおにぎり包装用袋シートにより、前記開封用条体が三角おにぎりの中央を一巻きする状態に、三角おにぎりを包み込み、三角おにぎりの三角形の面に、おにぎり包装用袋シートの包み込み終端を重ね、前記包み込み終端とその下側に重なる外装フィルムとを溶着シールするおにぎり包装機において、
フィルム押圧部材で前記包み込み終端及びその下側に重なる外装フィルムを押圧し、ヒートシーラを前記包み込み終端とその下側に重なる外装フィルムに当接して当接箇所を溶かして細長い孔を開けてなる引き裂き用ノッチを前記開封用条体に沿って一条または複数条に形成するとともに、引き裂き用ノッチの縁の前記包み込み終端とその下側に重なる外装フィルムとを溶着シールするようになっていることを特徴とするおにぎり包装機を提供することにある。
【００１４】
【発明の実施の形態】
本願発明のおにぎり包装におけるシール方法及びおにぎり包装機を図面を参照して説明する。
このおにぎり包装は、
図１(a),(b) に示すように、耐熱性があり引張強度が大きい開封用条体１を、矩形な外装フィルム２の幅中央に長さが等しくなるように貼着するとともに、外装フィルム２の、開封用条体１の両端を挟む位置に、引き裂き用ノッチ１ａ，１ｂを設け、外装フィルム２の中央に、外装フィルム２の長さ及び幅よりもそれぞれ若干小さい海苔３を載せ、さらのその上に、長さが外装フィルム２の長さに等しくかつ幅が外装フィルム２の幅の１／２よりも若干大きい細長形状の二枚の内装フィルム４，５を順に載せ、前記二枚の内装フィルム４，５を外装フィルム２の巾中央において端縁同士を重ね、残りの端縁を前記外装フィルム２の周辺部に合わせてヒートシール６を施して前記海苔３とを収容したおにぎり包装用袋シートＳを形成する。
次いで、図２(a) に示すように、前記おにぎり包装用袋シートＳの中程Ｓ1 を避けた上半分Ｓ2 をシート下面部Ｓ2 として、該シート下面部Ｓ2 に三角おにぎりＭの三角形の下面を載置する。
次いで、図２(b) 又は(c) のいずれかに示すように、おにぎり包装用袋シートＳで三角おにぎりＭを包み込む。図２(b) 又は(c) のいずれも、包装の途中工程を示す。
図２(b) に示す包装は、前記おにぎり包装用袋シートの中程Ｓ1 で三角おにぎりＭの底辺に沿って折り上げ、前記おにぎり包装用袋シートＳの中程Ｓ1 を避けた下半分Ｓ3 をシート上面部として、該シート上面部Ｓ3 を三角おにぎりＭの三角形の上面に沿って折り曲げ、さらに該シート上面部Ｓ3 を三角おにぎりＭの左右の傾斜辺に沿って折り下げてその余りＳ3a、Ｓ3bを前記シート下面部Ｓ2 の左右の角隅部Ｓ2a、Ｓ2bに合わせた状態を示している。
図２(c) に示す包装は、余りＳ3a、Ｓ3bを、前記シート下面部Ｓ2 の左右の角隅部Ｓ2a、Ｓ2bに合わせずに、三角おにぎりＭの三角形の下面に巻き込んで、シート下面部Ｓ2 に合わせた状態を示している。
図３、及び図４は、シート下面部Ｓ2 の左右の角隅部Ｓ2a、Ｓ2bを三角おにぎりＭの三角形の上面において異なる折り方で包装完了した状態を示す。
図２(b) 又は(c) のいずれかに示す包装途中の形態から図３に示す包装完了までの包装工程を説明する。図２(b) 又は(c) に示すように、左右の角隅部Ｓ2a、Ｓ2bを三角おにぎりＭの左右の傾斜辺に沿って折り上げ、さらに、余った左右の角隅部（包み込み終端）Ｓ2a、Ｓ2bを三角おにぎりＭの上面に沿って順に折り曲げて重ねる。そして、前記三角おにぎりＭの上面に順に重なる三角形の右角隅部Ｓ2aと左角隅部Ｓ2bの、前記開封用条体１に交差する箇所に、図示の五本の中の少なくともいずれか一本の、好ましくは、開封用条体１を挟むように両側に各二条、又は一条の、フィルムを溶断してなる引き裂き用ノッチ７を付与し、かつ引き裂き用ノッチ７の周縁において、左右の角隅部（包み込み終端）Ｓ2a、Ｓ2bと外装フィルムのシート上面部Ｓ3 が溶着した状態とし、四本の引き裂き用ノッチ７を付与し、次いで、引き裂き用ノッチ７を隠すようにラベル８を貼設してなる。
図２(b) 又は(c) のいずれかに示す包装途中の形態から図４に示す包装完了までの包装工程は、図２(b) 又は(c) のいずれかに示す包装途中の形態から図３に示す包装完了までの包装工程と殆ど同じである。
折り曲げの相違を、図４を参照して説明する。左の角隅部（包み込み終端）Ｓ2bを三角おにぎりＭの上面に沿って折り曲げて開封用条体１に対応する付近で折返し（折返し箇所が開封用条体１を越えても越えなくても良い。）、右の角隅部（包み込み終端）Ｓ2aを三角おにぎりＭの上面に沿って折り曲げて、前記折返しがある左の角隅部（包み込み終端）Ｓ2bを隠すように重ねる。
図３、図４では、フィルムを溶かして細長い孔を開けてなる引き裂き用ノッチ７の付いた溶着シールは、開封用条体１に平行しているが、三角おにぎりＭの底面側のノッチの間隔が広がっているか、ノッチの間隔が広がるように屈曲していても良い。本願明細書で、「溶着シールが開封用条体に沿っている」の意味は、このような場合も含んでいる。
本願発明は、引き裂き用ノッチ７の付いた溶着シールを開封用条体１に合致して一本だけ設ける場合も含むものである。この場合には、開封用条体１が溶断しないように、開封用条体１に耐熱性があるフィルム材料を使用する必要がある。
【００１５】
本願発明は、図５(a),(b),(c) に示すように、ナイフエッジ状のヒートシーラ９と、該ヒートシーラ９の近傍に左右の角隅部Ｓ2a、Ｓ2bを外装フィルムのシート上面部Ｓ3 から浮かないようにフィルム押圧部材１０を押し付ける。これにより、ヒートシーラ９が、熱でフィルムを溶かして引き裂き用ノッチ７を設けるとともに、左右の角隅部Ｓ2a、Ｓ2bと外装フィルムのシート上面部Ｓ3 の三枚を、引き裂き用ノッチ７の周縁において溶着シールする。
フィルム押圧部材１０は、左右の角隅部Ｓ2a、Ｓ2bが外装フィルムのシート上面部Ｓ3 から少しでも浮き上がると、左右の角隅部Ｓ2a、Ｓ2bが外装フィルムのシート上面部Ｓ3 の三枚が、引き裂き用ノッチ７の周縁において溶着シール状態にならないことが発生するから、これを防止するために設けられる。
しかして、本願発明は、ヒートシーラ９を左右の角隅部Ｓ2a、Ｓ2bに瞬時押し当てるだけで１００％確実に、引き裂き用ノッチ７と該引き裂き用ノッチ７の周縁を溶着シール状態とすることができ、けっしてヒートシーラを海苔やおにぎりに到達するまで突き込む必要はなく、ナイフを突き込んでカットによりノッチを設ける場合に比べて、突き込み寸法を極めて小さくすることができ、ナイフのように突っ切りを反復継続することにより切れ味が悪くなり定期的に交換を必要とすることがなく、２００度近くに加熱することに加え、すぐにラベル８を貼るものであるから細菌の混入の惧れが全く無く衛生的である。
シートシーラ９は、基本的には、先部分が板状でさらに先端面がナイフエッヂ状の尖ったハンダごてのような構造であれば良く、好ましくは温度センサによりフィルムを溶かす適温に温度管理できる構造が良い。
図５に示すフィルム押圧部材１０は、熱伝導率が極めて小さい耐熱材料からなる筒形であり、シートシーラ９の基側の非加熱部分に支持されシートシーラ９を取り巻いて垂下している。従って、シートシーラ９とフィルム押圧部材１０は一体的であり、一体に移動する。シートシーラ９は、熱でフィルムを溶かして引き裂き用ノッチ７を設けるものであるから、フィルム押圧部材１０が左右の角隅部Ｓ2a、Ｓ2bに当接したときに、同左右の角隅部Ｓ2a、Ｓ2bに確実に当接できる相対的な位置関係になっていれば足りる。シートシーラ９がフィルム押圧部材１０から大きく突き出している必要はない。シートシーラ９とフィルム押圧部材１０は一体的である必要はない。たとえば、おにぎり包装機において、左右の角隅部Ｓ2a、Ｓ2bを立ち上げる段階まで包装して、横送りすると、左右の角隅部Ｓ2a、Ｓ2bがおにぎりの上面に密着するように折り曲げられ、開かないように上押さえ板で押さえられる構造とすれば、該上押さえ板が本願のフィルム押圧部材１０に該当する。
なお、引き裂き用ノッチ７は、海苔に到達しても差し支えないが、到達させないことが好ましい。
【００１６】
開封するには、図３又は図４において、開封用条体１の外端を１ａを折り返すように引いていく。開封用条体１が、外装フィルム２を引き裂いてさらにラベル８を引き裂いていき、右角隅部Ｓ2aの側縁と左角隅部Ｓ2bの側縁との交差部に到達すると、開封用条体１を挟む両側位置に四本の引き裂き用ノッチ７があり、各ノッチ７の周囲において外装フィルム２と左右の角隅部Ｓ2a、Ｓ2bとが溶着しているから、開封用条体１を引けば、引き裂き用ノッチ７から外装フィルム２と左右の角隅部Ｓ2a、Ｓ2bとラベル８をあたかも一枚シートのように引き裂いていくことができ、引き裂きが軽く行える。
【００１７】
続いて、本願第二の発明の実施の形態にかかるおにぎり包装機を図６ないし図１１を参照して説明する。
このおにぎり包装機は、袋シートストック１３に積層されたおにぎり包装用袋シートＳをバキュームパッド式袋シート移送手段１２により吸引把持し、該おにぎり包装用袋シートＳを固定テーブル１１の上面に凹設されている矩形凹部１１ａに移載するとともに、図示しないおにぎり供給手段により三角おにぎりＭを掴んで包装用袋シートＳの上に図２(a) に示す位置関係となるように載置し、後述する袋シート折り込み包装手段により包装用袋シートＳによる三角おにぎりＭに対する包装を行い、ヒートシーラ９とフィルム押さえ１０により包装が開かないように引き裂き用ノッチ７の付与と該ノッチ７の周縁を溶着シールする封緘を行い、プッシャー１４で包装品Ｋを搬出コンベア１５へ送り出し、搬送途中に間欠停止して搬出コンベア１５の上でラベル貼着手段（公知のラベラー）１６により引き裂き用ノッチ７を隠すようにラベル８を貼着し、引続き、搬出コンベア１５により送り出すように構成されている。
【００１８】
袋シート折り込み包装手段は、図７に示すように、直角折り突き上げ板１７を突き上げ、次いで、水平折り突き上げ板１８を水平移動することにより、三角おにぎり包装用袋シートＳを三角おにぎりＭにチャンネル形に巻付ける。次いで、図８に示すように、耳片折り下げ板１９ａ，１９ａを有するおにぎり押圧板１９を突き下げ、これによって、先に、耳片折り下げ板１９ａ，１９ａによって、三角おにぎりＭから張り出したシート上面部Ｓ3 の左右の角隅部を三角おにぎりＭの左右の傾斜辺に沿って折り下げて、その余りＳ3a、Ｓ3bをシート下面部Ｓ2 の左右の角隅部Ｓ2a、Ｓ2bに合わせた状態（図２(a),(b) 参照）にしてから、おにぎり押圧板１９で三角おにぎりＭの上面を押圧し、これと同時に、図９に示すように、固定テーブル１１に開孔されている概略三角形の折込みシリンダ２０内の上部に上昇停止して三角おにぎりＭの下面を支えていたエレベータ２１をおにぎり押圧板１９と一体的に下降して、折込みシリンダ２０を通過させ、図１０に示すように、三角おにぎりＭの下面の高さを搬出コンベア１５の搬出面に合わせて下降停止する。
上述した、三角おにぎりＭを折込みシリンダ２０内を下降通過させる過程で、折込みシリンダ２０の折込み機能を利用しておにぎりＭのシート下面部Ｓ2 の左右の角隅部Ｓ2a、Ｓ2bを三角おにぎりＭの左右の傾斜辺に沿って折り上げ、折込みシリンダ２０を通過したら、図６(b) に示すように、固定設置した左右の側面押さえ板２２，２２で左右の角隅部Ｓ2a、Ｓ2bの下部を押さえて広がりを防止する。
次いで、図１１に示すように、左右の耳折り板２３，２３を三角おにぎりＭの左右の傾斜辺の外方からおにぎり上面に沿って順次に水平移動することにより、三角おにぎりＭの上面よりも高く余った左右の角隅部Ｓ2a、Ｓ2bを三角おにぎりＭの上面に沿って順に折り曲げて重ねる（図３参照）。なお、図６(a) において、左の耳折り板２３を右の耳折り板２３よりも僅かに先に移動するとともに、右の耳折り板２３を三角おにぎりＭの上面中程まで移動しかつ左の耳折り板２３を右の耳折り板２３の上にオーバーラップするように大きく移動すると、図４に示すように、右の角隅部Ｓ2bに折返しを付け、その上に右の角隅部Ｓ2aが重なるように包装できる。
次いで、図５(a),(b) に示すように、三角形の右角隅部Ｓ2aと左角隅部Ｓ2bの、開封用条体１を挟む両側位置に、ヒートシーラ９とフィルム押さえ１０を折込みシリンダ２０内に下降してフィルムに瞬時当接することにより、図５(c) に示すように、フィルムを溶断して引き裂き用ノッチ７を付与し、かつ引き裂き用ノッチ７の周縁において左右の角隅部Ｓ2a、Ｓ2bと外装フィルムＳのシート上面部Ｓ3 とが溶着シールした状態にする。
【００１９】
本願発明のおにぎり包装機は、袋シート折り込み包装の工程が、他の方法によるものであっても良い。特に、本願発明おにぎり包装機における重要な技術要素は、三角おにぎりＭの上面に沿って折り重なる三角形の右角隅部Ｓ2aと左角隅部Ｓ2bの、開封用条体１に対して両側位置、又は片側位置、又は真上位置に、引き裂き用ノッチ７を付与し、かつ引き裂き用ノッチ７の周縁に溶着シールを確実に行うための手段として、ヒートシーラ９とフィルム押さえ１０を備えていることにある。
【００２０】
【発明の効果】
本願発明のおにぎり包装におけるシール方法、及びおにぎり包装機によれば以下の効果を有する。
▲１▼ヒートシーラ９とフィルム押さえ１０により引き裂き用ノッチ７の付与とフィルムの包装終端の溶着シールを完全に行える。引き裂き用ノッチ７の付与は、ヒートシーラ９の熱によりフィルムを溶断することにより行うものであり、複数枚に重なっているフィルムの浮き上がりをフィルム押さえ１０により押さえから、引き裂き用ノッチ７の付与するものであるので、引き裂き用ノッチ７の周縁に溶着シールを１００％確実に設けることができる。仮に、ナイフにより突っ切りカットする場合には切れ味が低下し、定期的にナイフを交換する必要があるという問題点が発生するが、本願発明は、ヒートシーラ９の熱によりフィルムを溶断することにより行うので、切れ味が低下するといった問題が生じないから、切れ味低下のためにヒートシーラ９を交換するといったメンテナンスの必要も生じない。
▲２▼ヒートシーラ９とフィルム押さえ１０によって引き裂き用ノッチ７の付与とフィルムの包装終端の溶着シールを行うことにより、コーナーカットがないおにぎり包装用袋シートを用いて、三角おにぎりの上面で包装用袋シートの包装終端の右上角部と左上角部とが互いに深く重なる完全な包装が行えて、大きなラベルを包装用袋シートの包装終端の右上角部と左上角部に大きく被せて貼着しても、開封用条体を引いて包装を二分割することがトラブルが全く発生することなく行える。これに対して、従来の包装は、コーナーカットがあるおにぎり包装用袋シートを用いているので、ラベルの上の三角形の部分で包装用袋シートの包装終端の右上角部と左上角部とが浅く重なっていて包装が不完全であるような感じを購買者に与えたり、陳列棚の所で購入者が左上角部と右上角部をめくったり、いらずらする惧れがあった上、ラベルを貼る位置がずれると、開封用条体を引いて包装を二分割する開封を失敗する問題点が、数十％という高い確率で発生していた。
▲３▼コーナーカットがないおにぎり包装用袋シートを用いて、三角おにぎりの上面で包装用袋シートの包装終端の右上角部と左上角部とが互いに深く重なる完全な包装が行えるので、店頭で購入者が手にとって左上角部と右上角部をめくってさらにその内側の外装フィルムをめくることは不可能であり、検査員が不要になる。また、大きなラベルを貼ることができるので、十分な商品内容表示ができる。さらに、ラベルの貼る位置を微妙にずれても開封が完全に行えて、ラベルをおにぎりの端に偏って貼る必要がないから、従来において多く発生していたラベル貼りの失敗を解消できる。
▲４▼ヒートシーラ９とフィルム押さえ１０により、完全な包装と完全な開封が実現できるので、既存のおにぎり包装機を小改造することにより、本願発明を実施でき、新規な設備投資を必要としない。
▲５▼コーナーカットがないおにぎり包装用袋シートを用いることができるから、おにぎり包装機を小改造すれば良いといった経済的利点に止まらず、おにぎり包装用袋シートの製造も容易になり、コストダウンでき、カット片混入の惧れがなく、品質管理が楽になる。これに対し、従来のおにぎり包装用袋シートは、コーナーカットを付ける作業を人為的に行っていたが、又はダイカットロールを装備してコーナーカットを付けていたので、コストが高く付いていたとともに、カット片混入の惧れがあり、一枚一枚充分な検査が必要であった。
【図面の簡単な説明】
【図１】  (a) は、本願発明の実施の形態にかかるおにぎり包装を実現するための、海苔を収容したおにぎり包装用袋シートの正面図。(b) は、(a) におけるＩｂ−Ｉｂ断面図。
【図２】  (a) は、おにぎり包装用袋シートに三角おにぎりを載置した状態を示す平面図。(b) は、包装途中の斜視図。(c) は、別の包装形態に包装途中の斜視図。
【図３】本願発明の実施の形態にかかり、おにぎり包装用袋シートで三角おにぎりを包装し、引き裂き用ノッチが付いた溶着シールを付け、ラベルを貼った状態を示す正面図。
【図４】本願発明の別の実施の形態にかかり、おにぎり包装用袋シートで三角おにぎりを包装し、引き裂き用ノッチが付いた溶着シールを付け、ラベルを貼った状態を示す正面図。
【図５】  (a) は、本願発明の実施の形態にかかり、おにぎり包装用袋シートで三角おにぎりを包装し、引き裂き用ノッチが付いた溶着シールを付ける所を示す斜視図。。(b) は、(a) におけるIIｂ−IIｂ断面図。(c) は、(b) の要部拡大図。
【図６】  (a) は、本願発明の実施の形態にかかるおにぎり包装機の要部の概略平面図。(b) は、(a) の要部拡大図。
【図７】おにぎり包装機の固定テーブルの上面におにぎり包装用袋シートを載置しその上に三角おにぎりを載置した状態を示す概略断面図。
【図８】図７の次の工程を示すもので、おにぎり包装用袋シートをコの字形に折って三角おにぎりを包んだ状態を示す概略断面図。
【図９】図８の次の工程を示すもので、三角おにぎりの上面に被さるおにぎり包装用袋シートの張り出しを三角おにぎりの側面に折り下げるとともに、折込みシリンダに押し込んで、三角おにぎりの下敷となるおにぎり包装用袋シートの張り出しを三角おにぎりの側面に折り上げる状態を示す概略断面図。図９と同じ工程を示す平面図が図６(a) である。
【図１０】図９の次の工程を示すもので、三角おにぎりを折込みシリンダを通過させておにぎり包装用袋シートで三角おにぎりが包装され、三角おにぎりの下敷となるおにぎり包装用袋シートの張り出しが耳片となって折り上がった状態を示す概略断面図。
【図１１】図１０の次の工程を示すもので、折込みシリンダを通過した三角おにぎりを包装しているおにぎり包装用袋シートの耳片をおにぎり上面へ折り重ねて引き裂き用ノッチが付いた溶着シールを付与する状態、並びに一つ先の包装にラベルを付ける状態を示す概略断面図。
【符号の説明】
１      ・・・開封用条体
２      ・・・外装フィルム
１ａ，１ｂ      ・・・引き裂き用ノッチ
３      ・・・海苔
４，５    ・・・内装フィルム
６      ・・・ヒートシール
Ｓ      ・・・おにぎり包装用袋シート
Ｓ1     ・・・おにぎり包装用袋シートの中程
Ｓ2     ・・・おにぎり包装用袋シートのシート下面部
Ｓ3     ・・・おにぎり包装用袋シートのシート上面部
Ｍ      ・・・三角おにぎり
Ｓ2a、Ｓ2b      ・・・シート下面部の左右の角隅部
Ｓ3a、Ｓ3b      ・・・シート上面部の左右の角隅部
７      ・・・引き裂き用ノッチ
８      ・・・ラベル
９      ・・・ヒートシーラ
１０    ・・・フィルム押圧部材
１１    ・・・固定テーブル
１１ａ  ・・・矩形凹部
１２    ・・・バキュームパッド式袋シート移送手段
１３    ・・・袋シートストック
１４    ・・・プッシャー
Ｋ      ・・・包装品
１５    ・・・搬出コンベア
１６    ・・・ラベル貼着手段
１７    ・・・直角折り突き上げ板
１８    ・・・水平折り突き上げ板
１９    ・・・押圧板
１９ａ  ・・・耳片折り下げ板
２０    ・・・折込みシリンダ
２１    ・・・エレベータ
２２    ・・・側面押さえ板
２３    ・・・耳折り板
【図１】
0003840526.tif 000002
【図２】
0003840526.tif 000003
【図３】
0003840526.tif 000004
【図４】
0003840526.tif 000005
【図５】
0003840526.tif 000006
【図６】
0003840526.tif 000007
【図７】
0003840526.tif 000008
【図８】
0003840526.tif 000009
【図９】
0003840526.tif 000010
【図１０】
0003840526.tif 000011
【図１１】
0003840526.tif 000012